(57)【要約】【課題】ウェアラブルな無線通信装置において、端末と人体との接触圧を改善する操作および着信に応答する操作を簡略化する。【解決手段】装着手段２１は、無線通信装置２をユーザの体に装着する構造を有する。無線通信手段２２は、移動通信端末１と無線通信を行う。骨伝導手段２３は、装着手段２１により装着されているユーザの体に骨導音を発生させる。切り替え手段２４は、骨伝導手段２３の体への接触の状態を、接触圧が低い第１状態および高い第２状態の一方から他方へ切り替える。応答手段２５は、無線通信手段２２を介して音声通話の着信があった場合において、切り替え手段２４によって接触の状態が第１状態から第２状態へ切り替えられたときは、その着信に応答する。【選択図】図２
2016005024.tif 000002
【特許請求の範囲】
【請求項１】
ユーザの体に装着するための装着手段と、
他の装置と無線通信を行う無線通信手段と、
前記装着手段により装着されているユーザの体に骨導音を発生させる骨伝導手段と、
前記骨伝導手段の前記体への接触の状態を、接触圧が低い第１状態および高い第２状態の一方から他方へ切り替える切り替え手段と、
前記無線通信手段を介して音声通話の着信があった場合において、前記切り替え手段によって前記接触の状態が前記第１状態から前記第２状態へ切り替えられたときは、当該着信に応答する応答手段と
を有する無線通信装置。
【請求項２】
音声通話が行われている場合において、前記切り替え手段によって前記接触の状態が前記第２状態から前記第１状態へ切り替えられたときは、当該音声通話を切断する切断手段
を有する請求項１に記載の無線通信装置。
【請求項３】
前記接触の状態を複数段階で調整する調整手段と、
前記複数段階のうち特定の段階を、前記第２状態に対応する段階として記憶する記憶手段と
を有し、
前記応答手段は、前記無線通信手段を介して音声通話の着信があった場合において、前記切り替え手段によって前記接触の状態が前記第１状態から、前記記憶手段に記憶されている段階に対応する前記第２状態へ切り替えられたときは、当該着信に応答する
ことを特徴とする請求項１または２に記載の無線通信装置。
【請求項４】
前記接触の状態を複数段階で調整する調整手段と、
前記複数段階のうち前記第２状態に対応する段階を、ユーザ毎に記憶する記憶手段と、
前記無線通信装置を装着しているユーザを特定する特定手段と
を有し、
前記応答手段は、前記無線通信手段を介して音声通話の着信があった場合において、前記切り替え手段によって前記接触の状態が前記第１状態から、前記特定手段により特定されたユーザに対応する前記第２状態へ切り替えられたときは、当該着信に応答する
ことを特徴とする請求項１または２に記載の無線通信装置。
【請求項５】
前記無線通信手段は、第１装置および第２装置と同時に無線通信し、
前記応答手段は、前記無線通信手段を介して前記第１装置から音声通話の着信があった場合、かつ前記特定手段により特定されたユーザが前記第１装置に対応する第１ユーザである場合において、前記切り替え手段によって前記接触の状態が前記第１状態から、当該第１ユーザに対応する前記第２状態へ切り替えられたときは、当該着信に応答する
ことを特徴とする請求項４に記載の無線通信装置。
【請求項６】
ユーザの体に装着するための装着手段、他の装置と無線通信を行う無線通信手段、および前記ユーザの体に骨導音を発生させる骨伝導手段を有する無線通信装置における通信方法であって、
前記骨伝導手段の前記体への接触の状態を、接触圧が低い第１状態および高い第２状態の一方から他方へ切り替えるステップと、
前記無線通信手段を介して音声通話の着信があった場合において、前記接触の状態が前記第１状態から前記第２状態へ切り替えられたときは、当該着信に応答するステップと
を有する通信方法。
【請求項７】
ユーザの体に装着するための装着手段、他の装置と無線通信を行う無線通信手段、および前記ユーザの体に骨導音を発生させる骨伝導手段を有する無線通信装置に、
前記骨伝導手段の前記体への接触の状態を、接触圧が低い第１状態および高い第２状態の一方から他方へ切り替えるステップと、
前記無線通信手段を介して音声通話の着信があった場合において、前記接触の状態が前記第１状態から前記第２状態へ切り替えられたときは、当該着信に応答するステップと
を実行させるためのプログラム。
【発明の詳細な説明】
【技術分野】
【０００１】
本発明は、ウェアラブルな無線通信装置において音声通話の着信に応答する技術に関する。
【背景技術】
【０００２】
腕時計型の無線通信装置など、いわゆるウェアラブル端末が知られている。例えば腕時計型の端末においては、音声通話時にスピーカーから音声を出力すると、音声が聞き取りにくいという問題があった。これに対し特許文献１は、骨伝導アクチュエータを有する腕時計型の通信装置を開示している。
【０００３】
一般に、腕時計型の装置を使うとき、ユーザはバンドにゆとりを持たせた状態で装着するので、骨伝導アクチュエータと人体の接触状態は良好ではない。これに対し特許文献１は、通信装置の使用時にバンドを締め付けることにより、骨伝導アクチュエータと人体との接触状態を改善することを開示している（図３０および３１等）。
【先行技術文献】
【特許文献】
【０００４】
【特許文献１】特開２０００−４９９３５号公報
【発明の概要】
【発明が解決しようとする課題】
【０００５】
特許文献１に記載の技術においては、音声通話の着信を待機するときは、ユーザはバンドを締め付けた状態のまま待機し、実際に音声通話の着信があったときにはさらに着信に応答する操作をしなければならなかった。
【０００６】
これに対し本発明は、ウェアラブルな無線通信装置において、端末と人体との接触圧を改善する操作および着信に応答する操作を簡略化する技術を提供する。
【課題を解決するための手段】
【０００７】
本発明は、ユーザの体に装着するための装着手段と、他の装置と無線通信を行う無線通信手段と、前記装着手段により装着されているユーザの体に骨導音を発生させる骨伝導手段と、前記骨伝導手段の前記体への接触の状態を、接触圧が低い第１状態および高い第２状態の一方から他方へ切り替える切り替え手段と、前記無線通信手段を介して音声通話の着信があった場合において、前記切り替え手段によって前記接触の状態が前記第１状態から前記第２状態へ切り替えられたときは、当該着信に応答する応答手段とを有する無線通信装置を提供する。
【０００８】
この無線通信装置は、音声通話が行われている場合において、前記切り替え手段によって前記接触の状態が前記第２状態から前記第１状態へ切り替えられたときは、当該音声通話を切断する切断手段を有していてもよい。
【０００９】
この無線通信装置は、前記接触の状態を複数段階で調整する調整手段と、前記複数段階のうち特定の段階を、前記第２状態に対応する段階として記憶する記憶手段とを有し、前記応答手段は、前記無線通信手段を介して音声通話の着信があった場合において、前記切り替え手段によって前記接触の状態が前記第１状態から、前記記憶手段に記憶されている段階に対応する前記第２状態へ切り替えられたときは、当該着信に応答してもよい。
【００１０】
この無線通信装置は、前記接触の状態を複数段階で調整する調整手段と、前記複数段階のうち前記第２状態に対応する段階を、ユーザ毎に記憶する記憶手段と、前記無線通信装置を装着しているユーザを特定する特定手段とを有し、前記応答手段は、前記無線通信手段を介して音声通話の着信があった場合において、前記切り替え手段によって前記接触の状態が前記第１状態から、前記特定手段により特定されたユーザに対応する前記第２状態へ切り替えられたときは、当該着信に応答してもよい。
【００１１】
前記無線通信手段は、第１装置および第２装置と同時に無線通信し、前記応答手段は、前記無線通信手段を介して前記第１装置から音声通話の着信があった場合、かつ前記特定手段により特定されたユーザが前記第１装置に対応する第１ユーザである場合において、前記切り替え手段によって前記接触の状態が前記第１状態から、当該第１ユーザに対応する前記第２状態へ切り替えられたときは、当該着信に応答してもよい。
【００１２】
また、本発明は、ユーザの体に装着するための装着手段、他の装置と無線通信を行う無線通信手段、および前記ユーザの体に骨導音を発生させる骨伝導手段を有する無線通信装置における通信方法であって、前記骨伝導手段の前記体への接触の状態を、接触圧が低い第１状態および高い第２状態の一方から他方へ切り替えるステップと、前記無線通信手段を介して音声通話の着信があった場合において、前記接触の状態が前記第１状態から前記第２状態へ切り替えられたときは、当該着信に応答するステップとを有する通信方法を提供する。
【００１３】
さらに、本発明は、ユーザの体に装着するための装着手段、他の装置と無線通信を行う無線通信手段、および前記ユーザの体に骨導音を発生させる骨伝導手段を有する無線通信装置に、前記骨伝導手段の前記体への接触の状態を、接触圧が低い第１状態および高い第２状態の一方から他方へ切り替えるステップと、前記無線通信手段を介して音声通話の着信があった場合において、前記接触の状態が前記第１状態から前記第２状態へ切り替えられたときは、当該着信に応答するステップとを実行させるためのプログラムを提供する。
【発明の効果】
【００１４】
本発明によれば、ウェアラブルな無線通信装置において、端末と人体との接触圧を改善する操作および着信に応答する操作を簡略化することができる。
【図面の簡単な説明】
【００１５】
【図１】一実施形態に係る無線通信システム９の外観を例示する図。
【図２】無線通信システム９の機能構成を示す図。
【図３】無線通信装置２の外観を示す図。
【図４】無線通信装置２のハードウェア構成を示す図。
【図５】留め具２０４の構造を例示する図。
【図６】動作例１のフローチャート。
【図７】動作例２のフローチャート。
【図８】ユーザテーブルを例示する図。
【図９】動作例４のフローチャート。
【図１０】変形例１における非接触状態および接触状態を例示する図。
【図１１】変形例２に係る基準段階の設定方法を示すフローチャート。
【発明を実施するための形態】
【００１６】
１．構成
図１は、一実施形態に係る無線通信システム９の外観を例示する図である。無線通信システム９は、移動通信端末１と、無線通信装置２とを有する。無線通信装置２はいわゆるウェアラブル端末であり、ユーザが身につけて用いる。移動通信端末１は、例えば、いわゆるスマートフォンである。無線通信装置２は、移動通信端末１とペアリングされており、ユーザは、移動通信端末１に関連する情報を無線通信装置２から得ることができる。また、無線通信装置２は、移動通信端末１宛ての音声通話の着信に応答する機能を有する。
【００１７】
図２は、無線通信システム９の機能構成を示す図である。移動通信端末１は、移動通信手段１１と、無線通信手段１２とを有する。無線通信装置２は、装着手段２１と、無線通信手段２２と、骨伝導手段２３と、切り替え手段２４と、応答手段２５と、切断手段２６と、調整手段２７と、記憶手段２８と、特定手段２９とを有する。
【００１８】
移動通信手段１１は、移動通信網（図示略）を介した通信を行う。この通信には、音声通信（音声通話）およびデータ通信が含まれる。無線通信手段１２は、無線通信装置２と無線通信を行う。
【００１９】
装着手段２１は、無線通信装置２をユーザの体に装着する構造を有する。無線通信手段２２は、他の装置（この例では移動通信端末１）と無線通信を行う。骨伝導手段２３は、装着手段２１により装着されているユーザの体に骨導音を発生させる。切り替え手段２４は、骨伝導手段２３の体への接触の状態を、接触圧が低い第１状態および高い第２状態の一方から他方へ切り替える。以下、便宜的に、第１状態および第２状態をそれぞれ非接触状態および接触状態という（第１状態において骨伝導手段２３と体が接触していないわけではない）。応答手段２５は、無線通信手段２２を介して音声通話の着信があった場合において、切り替え手段２４によって接触の状態が非接触状態から接触状態へ切り替えられたときは、その着信に応答する。切断手段２６は、音声通話が行われている場合において、切り替え手段２４によって接触の状態が接触状態から非接触状態へ切り替えられたときは、その音声通話を切断する。
【００２０】
調整手段２７は、接触の状態を複数段階で調整する。記憶手段２８は、複数段階のうち特定の段階を、第２状態に対応する段階として記憶する。特定手段２９は、無線通信装置２０を装着しているユーザを特定する。
【００２１】
図３は、無線通信装置２の外観を示す図である。無線通信装置２は、ケース２０１と、表示面２０２と、バンド２０３と、留め具２０４とを有する。ケース２０１は、後述するハードウェア要素を収納する部材である。表示面２０２は、情報を表示する。バンド２０３および留め具２０４は、ケース２０１をユーザの人体に装着するための固定具であり、装着手段２１の一例である。
【００２２】
図４は、無線通信装置２のハードウェア構成を示す図である。無線通信装置２は、ＣＰＵ（Central Processing Unit）２１１と、メモリー２１２と、ストレージ２１３と、表示部２１４と、通信ＩＦ２１５と、骨伝導ユニット２１６と、マイク２１７と、入力装置２１８とを有する。
【００２３】
ＣＰＵ２１１は、無線通信装置２の各部を制御する制御装置である。メモリー２１２は、ＣＰＵ２１１がプログラムを実行する際のワークエリアとして機能する記憶装置であり、例えばＲＯＭ（Read Only Memory）およびＲＡＭ（Random Access Memory）を含む。ストレージ２１３は、プログラムおよびデータを記憶する記憶装置であり、例えばSSD（Solid State Drive）を含む。ＣＰＵ２１１がストレージ２１３に記憶されているプログラムを読み出して実行することにより、無線通信装置２に図２に示される機能が実装される。表示部２１４は、情報を表示する装置であり、例えばＬＣＤ（Liquid Crystal Display）または有機ＥＬ（Electro-Luminescence）ディスプレイを含む。
【００２４】
通信ＩＦ２１５は、移動通信端末１と所定の規格に従って無線通信する装置である。この例で、無線通信の規格は、Ｂｌｕｅｔｏｏｔｈ（登録商標）である。２台の装置の間で無線通信を確立するための設定を行うことをペアリングという。通信ＩＦ２１５は、１台または複数台の移動通信端末１と無線通信を確立することができる。
【００２５】
骨伝導ユニット２１６は、いわゆる骨伝導により音声を出力する装置である。骨伝導ユニット２１６は、ユーザの体に骨導音を発生させるための振動子を有する。骨伝導ユニット２１６は、ケース２０１において表示部２１４と反対側、すなわち、人体と接触する側に設けられている。
【００２６】
マイク２１７は、音声を集音し、集音した音声を示す信号を出力する装置である。入力装置２１８は、ユーザが無線通信装置２に対し指示を入力するための装置、例えば、タッチスクリーン、キーパッド、およびボタンの少なくとも１つを有する。
【００２７】
図５は、留め具２０４の構造を例示する図である。この例で、留め具２０４は、第１部材２０４１および第２部材２０４２を有する。第１部材２０４１は空隙（図示略）を有しており、第２部材２０４２はこの空隙の中に挿入されている。第１部材２０４１と第２部材２０４２との位置関係は、例えばラッチ機構により、締めの緩んだ状態（図５（Ａ））および締めのきつい状態（図５（Ｂ））の少なくとも２段階で固定することができる。また、第２部材２０４２は第１部材２０４１から取り外すことができる。ユーザが無線通信装置２を腕にはめるとき、または腕から外すときには、第２部材２０４２は第１部材２０４１から取り外す。また、ユーザは、図５（Ｂ）の状態でケース２０１が腕に密着し（すなわち骨伝導ユニット２１６が腕に密着し）、図５（Ａ）の状態でケース２０１と腕との密着が緩むように、バンド２０３の長さを調整する。すなわち、図５（Ａ）が非接触状態に相当し、図５（Ｂ）が接触状態に相当する。
【００２８】
留め具２０４はさらに、第１部材２０４１と第２部材２０４２との位置関係を検知するセンサー（図示略）を有する。このセンサーにより、留め具２０４の状態が図５（Ａ）の状態にあるのか（Ｂ）の状態にあるのか、すなわち、骨伝導ユニット２１６と人体とが非接触状態であるか接触状態であるかを検知することができる。
【００２９】
通信ＩＦ２１５は、無線通信手段２２の一例である。骨伝導ユニット２１６は、骨伝導手段２３の一例である。留め具２０４は、切り替え手段２４および調整手段２７の一例である。ＣＰＵ２１１は、応答手段２５、切断手段２６、および特定手段２９の一例である。メモリー２１２およびストレージ２１３は、記憶手段２８の一例である。
【００３０】
２．動作
以下、無線通信システム９の動作を説明する。まず、無線通信装置２が１台の移動通信端末１と無線通信を確立している例を説明する。以下の説明において、無線通信装置２と移動通信端末１との無線通信は周知の技術により既に確立されている。
【００３１】
ユーザは、普段はバンド２０３の締め具合が緩い状態（図５（Ａ）の状態）で無線通信装置２を装着している。すなわち、ユーザは、バンド２０３の締め具合が緩い状態（非接触状態）で音声通話を待機している。音声通話の着信があったとき、ユーザは、第２部材２０４２を第１部材２０４１に押し込み、バンド２０３の締め具合をきつく（接触状態）する。接触状態になると、無線通信装置２は着信に応答する。通話が終わると、ユーザは、第２部材２０４２を第１部材２０４１から引き出し、バンド２０３の締め具合を緩く（非接触状態）する。非接触状態になると、無線通信装置２は音声通話を切断（終話）する。以下、これらの動作を詳細に説明する。
【００３２】
２−１．動作例１：１台の移動通信端末１と無線通信している例（着信）
図６は、動作例１のフローチャートを示す。図６のフローの開始前において、移動通信端末１に対して、移動通信網を介した音声通話の着信が通知されている。移動通信端末１は、無線通信装置２に対し、音声通話の着信があった旨を通知する。
【００３３】
ステップＳ１０１において、無線通信装置２は、移動通信端末１から着信通知を受信する。移動通信端末１から着信通知を受信すると、無線通信装置２のＣＰＵ２１１は、着信があった旨をユーザに通知する。この通知は、例えば、その音声通話の発信元電話番号を表示部２１４に表示することにより行われる。この表示に代えて、または加えて、音および振動の少なくとも一方により通知を行ってもよい。
【００３４】
ステップＳ１０２において、ＣＰＵ２１１は、骨伝導ユニット２１６と人体とが非接触状態から接触状態に切り替わったか判断する。ＣＰＵ２１１は、留め具２０４のセンサーにより、留め具２０４の状態が図５（Ａ）の状態から（Ｂ）の状態に切り替わったことが検知されると、骨伝導ユニット２１６と人体とが接触状態に切り替わったと判断する。ステップＳ１０１の通知を受けたユーザは、バンド２０３の締め具合をきつくする。バンド２０３の締め具合がきつくなると、骨伝導ユニット２１６と人体とが接触状態に切り替わったと判断される。骨伝導ユニット２１６と人体とが非接触状態から接触状態に切り替わったと判断された場合（Ｓ１０２：ＹＥＳ）、ＣＰＵ２１１は、処理をステップＳ１０３に移行する。骨伝導ユニット２１６と人体とが接触状態に切り替わっていないと判断された場合（Ｓ１０２：ＮＯ）、ＣＰＵ２１１は、接触状態に切り替わるまで待機する。
【００３５】
ステップＳ１０３において、ＣＰＵ２１１は、移動通信端末１に対し応答コマンドを送信する。応答コマンドは、移動通信端末１に、着信中の音声通話に応答する処理を実行させるためのコマンドである。応答コマンドを受信すると、移動通信端末１は、音声通話に応答する。すなわち、相手端末との音声通話が確立される。通話の音声信号は、移動通信端末１から無線通信装置２へ（またはその逆に）送られる。ユーザは、移動通信端末１を鞄やポケットに入れたまま、無線通信装置２を介して音声通話をすることができる。
【００３６】
音声通話が行われている間、骨伝導ユニット２１６は、音声信号に応じて骨導音を発生させる。ステップＳ１０２においてバンド２０３の締め具合をきつくした後、ユーザは、無線通信装置２を装着している腕の手を耳に当てる。こうすることによって、骨伝導ユニット２１６で発生した骨導音の伝達経路が形成される。また、マイク２１７の位置もユーザの口元に近づく。ユーザは、この状態で音声通話を行う。
【００３７】
２−２．動作例２：１台の移動通信端末１と無線通信している例（終話）
図７は、動作例２のフローチャートを示す。図７のフローの開始前において、移動通信端末１は、動作例１で説明したように移動通信網を介して他の端末と音声通話を行っている。
【００３８】
ステップＳ２０１において、無線通信装置２は、移動通信端末１との間で通話の音声信号を通信している。
【００３９】
ステップＳ２０２において、ＣＰＵ２１１は、骨伝導ユニット２１６と人体とが接触状態から非接触状態に切り替わったか判断する。ＣＰＵ２１１は、留め具２０４のセンサーにより、留め具２０４の状態が図５（Ｂ）の状態から（Ａ）の状態に切り替わったことが検知されると、骨伝導ユニット２１６と人体とが非接触状態に切り替わったと判断する。
【００４０】
ユーザは、通話を終了させたいときは、バンド２０３の締め具合を緩くする。バンド２０３の締め具合が緩くなると、骨伝導ユニット２１６と人体とが非接触状態に切り替わったと判断される。骨伝導ユニット２１６と人体とが接触状態から非接触状態に切り替わったと判断された場合（Ｓ２０２：ＹＥＳ）、ＣＰＵ２１１は、処理をステップＳ２０３に移行する。骨伝導ユニット２１６と人体とが非接触状態に切り替わっていないと判断された場合（Ｓ２０２：ＮＯ）、ＣＰＵ２１１は、非接触状態に切り替わるまで待機する。
【００４１】
ステップＳ２０３において、ＣＰＵ２１１は、移動通信端末１に対し切断コマンド（終話コマンド）を送信する。切断コマンドは、移動通信端末１に、現在行われている音声通話を切断する処理を実行させるためのコマンドである。切断コマンドを受信すると、移動通信端末１は、音声通話を切断（終話）する。
【００４２】
動作例１および２によれば、バンド２０３を締め付けるという比較的自然な動作で、骨伝導ユニット２１６と人体とを接触状態に切り替え、かつ、着信に応答することができる。ユーザは、骨伝導ユニット２１６と人体とを接触状態に切り替える動作とは別に、着信に応答する動作をする必要がない。単一の動作で、骨伝導ユニット２１６と人体とを接触状態に切り替え、かつ、着信に応答することができる。
【００４３】
２−３．動作例３：留め具２０４が複数段階で締め具合を調整
図５の例で、留め具２０４は、締めの緩んだ状態（図５（Ａ））および締めのきつい状態（図５（Ｂ））の２段階で調整可能であった。動作例３において、留め具２０４は、それぞれ締め具合の異なる３段階以上の複数段階、具体的には、締めの最も緩んだ状態（図５（Ａ））から締めの最もきつい状態（図５（Ｂ））まで１０段階で調整可能である。また、留め具２０４のセンサーは、第１部材２０４１と第２部材２０４２との位置関係が１０段階のうちどの段階であるかを検知することができる。
【００４４】
無線通信装置２のユーザは、無線通信装置２の使用に先立ち、接触状態に相当する締め具合を登録する。ユーザは、ちょうどいい具合まで第２部材２０４２を押し込んだところで、接触状態に相当する締め具合を登録するためのボタン（図示略）を押す。ＣＰＵ２１１は、このときの締め具合（以下「基準段階」という）をストレージ２１３に記憶する。
【００４５】
この場合、ステップＳ１０２における接触状態とは、第１部材２０４１と第２部材２０４２との位置関係が、基準段階以上にきつい状態をいう。例えば、締め具合が１〜１０の数値で表され（１が最も緩く、１０が最もきつい）、基準段階が「８」であった場合は、留め具２０４のセンサーによって検知された締め具合が８以上であったときに、接触状態であると判断される。
【００４６】
また、ステップＳ２０２における非接触状態は、第１部材２０４１と第２部材２０４２との位置関係が、基準段階よりも緩い状態をいう。先の例で、留め具２０４のセンサーによって検知された締め具合が７以下であったときに、非接触状態であると判断される。
【００４７】
動作例３によれば、ユーザの体格（腕の太さ）に応じて接触状態および非接触状態を定義することができる。
【００４８】
２−４．動作例４：２台の移動通信端末１と無線通信している例（着信）
次に、無線通信装置２が２台の移動通信端末１と無線通信している例を説明する。これら２台の移動通信端末１を互いに区別するため、移動通信端末１Ａおよび移動通信端末１Ｂと表す。移動通信端末１ＡはユーザＡ、移動通信端末１ＢはユーザＢと、それぞれ異なるユーザにより使用される。無線通信装置２は、ユーザＡおよびユーザＢにより共用されている。無線通信装置２は、基準段階をユーザ毎に記録したユーザテーブルをストレージ２１３に記憶している。
【００４９】
図８は、ユーザテーブルを例示する図である。ユーザテーブルには、装置ＩＤと基準段階との組が複数、記憶されている。装置ＩＤは、無線通信するすべての機器に割り当てられた識別子であって、移動通信端末１を一意に特定するための情報である。単一の特定の移動通信端末１を単一の特定のユーザが使用するという前提に立てば、装置ＩＤはユーザを識別するための情報ということもできる。
【００５０】
図９は、動作例４のフローチャートを示す。図９のフローの開始前において、移動通信端末１に対して、移動通信網を介した音声通話の着信が通知されている。移動通信端末１は、無線通信装置２に対し、音声通話の着信があった旨を通知する。
【００５１】
ステップＳ３０１において、無線通信装置２は、移動通信端末１から着信通知を受信する。この着信通知には、移動通信端末１の装置ＩＤが含まれている。移動通信端末１から着信通知を受信すると、無線通信装置２のＣＰＵ２１１は、着信があった旨をユーザに通知する。
【００５２】
ステップＳ３０２において、無線通信装置２のＣＰＵ２１１は、音声通話の着信があった移動通信端末１が、ユーザテーブルに記憶されている複数の移動通信端末１のうちどの移動通信端末であるか判断する。この処理は、無線通信装置２を装着しているユーザを特定することに等しい。ＣＰＵ２１１は、着信通知に含まれている装置ＩＤを用いて、どの移動通信端末１に対して着信があったのか判断する。移動通信端末１Ａに対して着信があったと判断された場合（Ｓ３０２：Ａ）、ＣＰＵ２１１は、処理をステップＳ３０３に移行する。移動通信端末１Ｂに対して着信があったと判断された場合（Ｓ３０２：Ｂ）、ＣＰＵ２１１は、処理をステップＳ３０４に移行する。
【００５３】
ステップＳ３０３において、ＣＰＵ２１１は、骨伝導ユニット２１６と人体とが非接触状態から接触状態に切り替わったか判断する。ここでいう接触状態とは、ユーザテーブルにおいて移動通信端末１Ａの装置ＩＤと対応付けて記憶されている基準段階により定義される状態（基準段階以上に締め具合がきつい状態）である。この状態を図では「接触状態ａ」と表記する。骨伝導ユニット２１６と人体とが非接触状態から接触状態ａに切り替わったと判断された場合（Ｓ３０３：ＹＥＳ）、ＣＰＵ２１１は、処理をステップＳ３０５に移行する。骨伝導ユニット２１６と人体とが接触状態ａに切り替わっていないと判断された場合（Ｓ３０３：ＮＯ）、ＣＰＵ２１１は、接触状態ａに切り替わるまで待機する。
【００５４】
ステップＳ３０４において、ＣＰＵ２１１は、骨伝導ユニット２１６と人体とが非接触状態から接触状態に切り替わったか判断する。ここでいう接触状態とは、ユーザテーブルにおいて移動通信端末１Ｂの装置ＩＤと対応付けて記憶されている基準段階により定義される状態（基準段階以上に締め具合がきつい状態）である。この状態を図では「接触状態ｂ」と表記する。骨伝導ユニット２１６と人体とが非接触状態から接触状態ｂに切り替わったと判断された場合（Ｓ３０４：ＹＥＳ）、ＣＰＵ２１１は、処理をステップＳ３０５に移行する。骨伝導ユニット２１６と人体とが接触状態ｂに切り替わっていないと判断された場合（Ｓ３０４：ＮＯ）、ＣＰＵ２１１は、接触状態ｂに切り替わるまで待機する。
【００５５】
ステップＳ３０５において、ＣＰＵ２１１は、着信通知の送信元の移動通信端末１に対し応答コマンドを送信する。以降の処理は、図６のステップＳ１０３と同じである。
【００５６】
この例によれば、着信があった移動通信端末のユーザに対して個別に定義された接触状態を用いて、着信に応答することができる。
【００５７】
なおこの例では、無線通信装置２は現に２台の移動通信端末１と無線通信を確立していた。しかし、現に無線通信を確立している移動通信端末１の台数が、ユーザテーブルに装置ＩＤが記憶されている移動通信端末１の台数（過去にペアリングした移動通信端末１の台数）より少ない場合でも、図９のフローを適用することができる。例えば、ユーザテーブルに２台の移動通信端末１の装置ＩＤに対応する基準段階が記憶されている場合において、無線通信装置２が現にそのうち１台の移動通信端末１のみと無線通信しているときも、図９のフローに従って処理を行うことにより、現に無線通信している移動通信端末１のユーザに対して個別に定義された接触状態を用いて、着信に応答することができる。
【００５８】
３．変形例
本発明は上述の実施形態に限定されるものではなく種々の変形実施が可能である。以下、変形例をいくつか説明する。以下の変形例のうち２つ以上のものが組み合わせて用いられてもよい。
【００５９】
３−１．変形例１
切り替え手段２４の具体例は、実施形態で説明したものに限定されない。実施形態では、留め具２０４におけるバンド２０３の締め具合を切り替えることにより、接触状態と非接触状態とを切り替える例を説明した。バンド２０３の締め具合を変化させる具体的な機構は図５で説明したものに限定されない。また、切り替え手段２４は、バンド２０３の締め具合によらずに、接触状態と非接触状態とを切り替えてもよい。
【００６０】
図１０は、変形例１に係る切り替え手段２４を例示する図である。この例では、バンド２０３の締め具合は一定のまま、骨伝導ユニット２１６がケース２０１から突出することにより、接触状態と非接触状態とを切り替える。この場合、ケース２０１は、骨伝導ユニット２１６を収納した状態（図１０（Ａ））と突出させた状態（図１０（Ｂ））とを切り替える機械的な機構を有している。この機構が、変形例１に係る切り替え手段２４である。なおこの例において、骨伝導ユニット２１６の突出量は複数段階で調整可能であってもよい。
【００６１】
また、切り替え手段２４は、モータ等の動力を用いて切り替えを行うものであってもよいし、人間がレバー等の操作子を操作する力を用いて切り替えを行うものであってもよい。
【００６２】
３−２．変形例２
図１１は、変形例２に係る基準段階の設定方法を示すフローチャートである。基準段階の設定方法は実施形態で説明したものに限定されない。
【００６３】
ステップＳ４０１において、ユーザは、無線通信装置２を装着する。ここでは、普段、腕時計を着けるようにバンド２０３を緩めた状態で装着する。
【００６４】
ステップＳ４０２において、ユーザは、基準段階の設定を開始する旨の指示を無線通信装置２に入力する。この指示を受けると、無線通信装置２のＣＰＵ２１１は、所定のテスト音声を出力するように、骨伝導ユニット２１６を制御する。
【００６５】
ステップＳ４０３において、ユーザは、手を耳にあて、テスト音声が明瞭に聞こえるか判断する。テスト音声が明瞭に聞こえた場合（Ｓ４０３：ＹＥＳ）、ユーザは、処理をステップＳ４０５に移行する。テスト音声が明瞭に聞こえなかった場合（Ｓ４０３：ＮＯ）、ユーザは、処理をステップＳ４０４に移行する。
【００６６】
ステップＳ４０４において、ユーザは、留め具２０４の締め具合を１段階きつくする。締め具合をきつくすると、ユーザは、処理をステップＳ４０３に移行する。
【００６７】
ステップＳ４０５において、ユーザは、この時点での締め具合を基準段階とすることを、無線通信装置２に指示する。この指示を受けると、無線通信装置２のＣＰＵ２１１は、その時点の締め具合を基準段階として、ストレージ２１３に記憶する。この例によれば、実際に骨導音の聞こえ具合を確認しながら、基準段階を設定することができる。
【００６８】
３−３．変形例３
無線通信装置２は、移動通信端末１とペアリングしたときの締め具合を基準段階として、ストレージ２１３に記憶してもよい。ユーザは、骨伝導ユニット２１６が自分の腕に密着するように（締めた状態で）無線通信装置２を装着する。この状態で、ユーザは、移動通信端末１と無線通信装置２とをペアリングする。無線通信装置２は、ペアリングが行われたときの締め具合を、ペアリングした移動通信端末１の装置ＩＤと対応付けてユーザテーブルに記憶する。
【００６９】
この例によれば、ペアリングおよび基準段階の設定を１回の指示入力で行うことができる。なお、この処理は、移動通信端末１と無線通信装置２とが初めてペアリングされるときにのみ行われてもよいし、移動通信端末１と無線通信装置２とが無線通信を確立するたびに行われてもよい。移動通信端末１と無線通信装置２とが無線通信を確立するたびに基準段階を設定する場合、ユーザの体格が変化しても、または、移動通信端末１を使用するユーザが変更されても、適切な基準段階を設定することができる。
【００７０】
３−４．変形例４
無線通信手段２２が行う通信は、実施例で説明したＢｌｕｅｔｏｏｔｈ（登録商標）のような近距離無線通信に限定されない。無線通信手段２２は、いわゆる３ＧやＬＴＥ（Long Term Evolution）のような移動通信を行ってもよい。すなわち、無線通信装置２は、移動通信端末１を介さず、直接、音声通話の着信を受けてもよい。この場合、無線通信装置２は、ステップＳ１０３において応答コマンドを送信する代わりに音声通話に応答する処理を行い、ステップＳ２０３において切断コマンドを送信する代わりに音声通話を切断する処理を行う。
【００７１】
３−５．他の変形例
無線通信装置２のハードウェア構成は実施形態で例示したものに限定されない。無線通信装置２は、図２で説明した機能を実現できるものであればどのようなハードウェア構成を有していてもよい。また、無線通信装置２の形態は実施形態で例示したものに限定されない。無線通信装置２は、指輪型等、腕時計型以外の形態を有していてもよい。
【００７２】
無線通信装置２が実行する処理（図６、図７、および図９）は、ソフトウェア、例えばアプリケーションプログラムまたはオペレーティングシステムにより実装されてもよい。このソフトウェアは、磁気記録媒体（磁気テープ、磁気ディスク（ＨＤＤ、ＦＤ（Flexible Disk））など）、光記録媒体（光ディスク（ＣＤ（Compact Disk）、ＤＶＤ（Digital Versatile Disk））など）、光磁気記録媒体、半導体メモリ（フラッシュＲＯＭなど）などのコンピュータ読取り可能な記録媒体に記憶した状態で提供されてもよい。また、このプログラムは、インターネットのようなネットワーク経由でダウンロードされてもよい。
【符号の説明】
【００７３】
１…移動通信端末、２…無線通信装置、９…無線通信システム、１１…移動通信手段、１２…無線通信手段、２１…装着手段、２２…無線通信手段、２３…骨伝導手段、２４…切り替え手段、２５…応答手段、２６…切断手段、２７…調整手段、２８…記憶手段、２９…特定手段、２０１…ケース、２０２…表示面、２０３…バンド、２０４…留め具、２１１…ＣＰＵ、２１２…メモリー、２１３…ストレージ、２１４…表示部、２１５…通信ＩＦ、２１６…骨伝導ユニット、２１７…マイク、２１８…入力装置、２０４１…第１部材、２０４２…第２部材
【図１】
2016005024.tif 000003
【図２】
2016005024.tif 000004
【図３】
2016005024.tif 000005
【図４】
2016005024.tif 000006
【図５】
2016005024.tif 000007
【図６】
2016005024.tif 000008
【図７】
2016005024.tif 000009
【図８】
2016005024.tif 000010
【図９】
2016005024.tif 000011
【図１０】
2016005024.tif 000012
【図１１】
2016005024.tif 000013